(57)【特許請求の範囲】
【請求項１】
高温ガスの旋回流場に対して炉壁面の周方向に設けた１または複数の原料供給部であるガス化バーナ又は原料供給管から原料を吹き込んでガス化を行うガス化炉であって、
前記原料供給部は、前記原料供給部を設置する炉断面の直径（Ｒ）を基準にして炉軸を中心に描かれる０〜０．８Ｒの仮想円の接線方向に向けて前記原料供給部の出口開口側を傾斜させ、前記高温ガスの旋回流と同方向へ向けて前記原料を投入する傾斜配置であり、
前記原料供給部から吹き出される原料流速（Ｖ）は、炉軸中心方向に向かう流速の速度成分（Ｖｒ）が、前記高温ガスの軸方向平均流速（Ｖｚ）を基準にして０．５倍以上５倍以下の範囲内に設定されることを特徴とするガス化炉。
【請求項２】
前記速度成分（Ｖｒ）が、前記高温ガスの軸方向平均流速（Ｖｚ）を基準にして１倍以上３倍以下の範囲内に設定されることを特徴とする請求項１に記載のガス化炉。
【請求項３】
前記原料供給部は、水平からの上下方向傾斜角度が±３０度の範囲内に設定されていることを特徴とする請求項１または２に記載のガス化炉。
【請求項４】
前記原料供給部の流路断面積（Ｓａ）は、前記原料供給部に原料を搬送する搬送部の流路断面積（Ｓｂ）より大（Ｓａ＞Ｓｂ）であることを特徴とする請求項１から３のいずれか１項に記載のガス化炉。
【請求項５】
前記搬送部から前記原料供給部へ流路断面積を増す位置に、開閉弁を備えたパージガス供給流路を連結したことを特徴とする請求項４に記載のガス化炉。
【発明の詳細な説明】
【技術分野】
【０００１】
本発明は、固体または液体の原料をガス化するガス化バーナを備えたガス化炉に係り、特に、原料を高温ガスの旋回流場に投入してガス化するガス化バーナを備えたガス化炉に関する。
【背景技術】
【０００２】
従来、固体または液体の原料をガス化するガス化炉として、原料を高温ガスの旋回流場に吹き込んでガス化するガス化炉が知られている。
図５に示すガス化炉１は、原料を高温ガスの旋回流場に吹き込んでガス化する２段２室ガス化炉の一例である。このような２段２室のガス化炉１は、コンバスタ２と呼ばれる１段１室目の炉に原料及びガス化剤を投入し、さらに、リダクタ３と呼ばれる２段２室目の炉に原料を投入して合成ガスを得るものである。すなわち、下段のコンバスタ２は、原料を燃焼させて高温ガスを得る１段目のバーナ群及び１室目の空間であり、上段のリダクタ３は、コンバスタ２で得た高温ガス（含むＣＯ２，Ｈ２Ｏ）と原料とを反応させて合成ガス（ＣＯ，Ｈ２，その他炭化水素等を含んだ燃料または原料となるガス）を得る２段目のバーナ群（または原料供給管）及び２室目の空間である。
【０００３】
上述したリダクタ３のバーナ群は、コンバスタ２から流入してくる高温ガスの旋回流場に原料を投入する複数のガス化バーナ１０、あるいは原料供給管により構成されている。
このようなガス化バーナ１０については、例えば下記の特許文献１に開示されているように、周方向において４個の上段バーナを炉軸中心方向に向けて対向配置することが記載されている。
また、下記の特許文献２には、混合性に着目した改質石炭吹き込みノズルの設置方法として、高温ガスの旋回流場と逆方向に向けることが開示されている。
【先行技術文献】
【特許文献】
【０００４】
【特許文献１】特開平８−７３８６９号公報
【特許文献２】特開２０１４−６２１９７号公報
【発明の概要】
【発明が解決しようとする課題】
【０００５】
ところで、上述した旋回流場に原料を吹き込むガス化バーナ１０は、原料の投入方向によって閉塞に至ることが懸念されている。なお、以下ではガス化バーナ１０について説明するが、原料供給管の場合も同様である。
ガス化バーナ１０の閉塞は、例えば図６（ａ）に示すように、コンバスタ２からリダクタ３に旋回成分を持ったガス流が流れ込む場合において、リダクタ３に設置されたガス化バーナ１０が高温ガスＧの旋回方向（図中の白抜矢印Ｇを参照）と対向する逆向きに取り付けられている場合に生じやすい。すなわち、リダクタ３のガス化バーナ１０が、旋回流場の旋回方向へ向けてバーナ出口１０ａを開口するように傾斜して取り付けられている場合には、コンバスタ２で供給された原料の残渣、または残渣の溶融物（例えば溶融灰）がガス化バーナノズル１０へ向けて吹き込むので、これらの閉塞物質Ｎがバーナ出口１０ａの周辺に付着して閉塞につながることとなる。
【０００６】
また、ガス化バーナ１０の閉塞は、例えば図６（ｂ）に示すように、リダクタ３に設置されたガス化バーナ１０が、炉内を流れる高温ガスＧの軸方向流れ（図中の白抜矢印Ｇを参照）と逆向きに傾いている場合にも同様の理由で生じやすい。すなわち、ガス化バーナ１０が、軸方向上向きの流れに向けてバーナ出口１０ａを開口するよう下向きに傾斜して取り付けられている場合にも、閉塞物質Ｎがバーナ出口１０ａの周辺に付着して閉塞につながる。
【０００７】
一方、リダクタ３のように旋回成分を持ったガス流に対してガス化バーナ１０から原料を吹き込む際、旋回流の主流はリダクタ３の炉外側を通る。このため、例えば図７（ａ）に示すように、ガス化バーナ１０の噴流がリダクタ３の炉中心に到達するほどの高流速で原料Ｍを吹き込むと、高温ガスＧの主流（旋回流）から離れた位置まで投入された原料Ｍは、高温ガスＧとの混合が十分にできなくなる。このような混合性の悪化は、ガス化反応性を悪化させる原因となるので、リダクタ３のガス化性能向上にとって好ましくない。
また、図７（ｂ）に示すように、ガス化バーナ１０が炉内の軸方向流れ（図中の白抜矢印Ｇを参照）と順方向の上向きに傾いていると、原料Ｍと高温ガスＧとの混合位置が炉内上方の後流側へ移動することになることから、反応時間が延びてリダクタ３のガス化性能を悪化させることとなる。
【０００８】
このような背景から、上述したリダクタ３のように、旋回流場に原料を吹き込むガス化バーナ１０は、バーナ出口１０ａの閉塞を防止でき、しかも、ガス化性能に悪影響を及ぼすことのない配置の最適化が望まれる。
本発明は、上記の課題を解決するためになされたもので、その目的とするところは、旋回流場に原料を吹き込むガス化バーナ又は原料供給管において、バーナ又は原料供給管の出口の閉塞を防止でき、しかも、ガス化性能の向上に有効な配置のガス化バーナ又は原料供給管を備えたガス化炉を提供することにある。
【課題を解決するための手段】
【０００９】
本発明は、上記の課題を解決するため、下記の手段を採用した。
本発明に係るガス化炉は、高温ガスの旋回流場に対して炉壁面の周方向に設けた１または複数の原料供給部であるガス化バーナ又は原料供給管から原料を吹き込んでガス化を行うガス化炉であって、前記原料供給部は、前記原料供給部を設置する炉断面の直径（Ｒ）を基準にして炉軸を中心に描かれる０〜０．８Ｒの仮想円の接線方向に向けて前記原料供給部の出口開口側を傾斜させ、前記高温ガスの旋回流と同方向へ向けて前記原料を投入する傾斜配置であり、前記原料供給部から吹き出される原料流速（Ｖ）は、炉軸中心方向に向かう流速の速度成分（Ｖｒ）が、前記高温ガスの軸方向平均流速（Ｖｚ）を基準にして０．５倍以上５倍以下の範囲内に設定されることを特徴とするものである。
【００１０】
このような本発明のガス化炉において、原料供給部は、原料供給部を設置する炉断面の直径（Ｒ）を基準にして炉軸を中心に描かれる直径が０〜０．８Ｒの仮想円の接線方向に向けて原料供給部の出口開口側を傾斜させ、高温ガスの旋回流の流れ方向と同方向へ向けて原料を投入する傾斜配置であるので、旋回流と共に流入してくる原料の残渣や残渣の溶融物が原料供給部の出口開口へ向けて吹き込むことはなく、従って、これらの閉塞物質が出口開口周辺に付着して閉塞に至ることもない。
なお、直径が０Ｒの仮想円は、原料供給部が炉軸中心方向を向くように設置された場合であり、例えば周方向に９０度ピッチで４つの原料供給部を配置すれば、出口開口どうしが同一直線上で対向する位置にある垂直配置となる。
【００１１】
また、原料供給部から吹き出される原料流速（Ｖ）は、炉軸中心方向に向かう流速の速度成分（Ｖｒ）が、高温ガスの軸方向平均流速（Ｖｚ）を基準にして０．５倍以上５倍以下の範囲内に設定されるので、炉内に投入された原料が炉軸中心方向へ向かう流速の速度成分（Ｖｒ）を抑制し、炉中心に到達するような高流速になることを防止できる。このため、高温ガスと原料との混合性を確保することができ、この結果、良好なガス化性能を得ることが可能になる。
この場合、原料供給部を旋回流と同方向（旋回方向）に傾斜させた向きに設置すると、原料流速（Ｖ）を流路内で閉塞しにくい大きな値にしても、混合性に影響を及ぼす速度成分（Ｖｒ）を小さくすることができる。従って、垂直配置と比較すれば、原料流速（Ｖ）を大きな値に設定することが可能になる。
【００１２】
上記の発明において、より好適な前記速度成分（Ｖｒ）は、前記高温ガスの軸方向平均流速（Ｖｚ）を基準にして、１倍以上３倍以下の範囲内に設定されており、この結果、より一層良好なガス化性能を得ることができる。
【００１３】
上記の発明において、前記原料供給部は、水平からの上下方向傾斜角度が±３０度の範囲内に設定されていることが好ましい。このような上下方向傾斜角度であれば、上下方向の傾きに依存する反応性の悪化や、閉塞物質による原料搬送部の閉塞を防止または抑制できる。
【００１４】
上記の発明において、前記原料供給部の流路断面積（Ｓａ）は、原料供給部まで原料を搬送する搬送部（配管流路）の流路断面積（Ｓｂ）より大（Ｓａ＞Ｓｂ）であることが好ましく、これにより、搬送部の流速を速くして原料の滞留による流路閉塞を防ぐことができる。さらに、原料供給部の流路断面積を拡大して流速を低下させているので、高温ガスと原料との混合性を確保することができる。
この場合、前記搬送部から前記原料供給部へ流路断面積を増す位置に、開閉弁を備えたパージガス供給流路を連結して設けることが好ましく、これにより、流路断面積の拡大により流速の低下した原料供給部に原料が滞留しても、パージガスを供給することで瞬間的に流速を上げることができるので、原料供給部に原料が滞留して生じる流路閉塞を防止できる。
【発明の効果】
【００１５】
上述した本発明によれば、旋回流場に原料を吹き込むガス化バーナを備えたガス化炉において、バーナ出口が旋回流に含まれる閉塞物質（原料の残渣や残渣の溶融物）によって閉塞されることや、原料を搬送ずる流路等に原料が滞留して閉塞されることを防止できるので、安定したガス化炉の運転が可能になる。
また、上述した本発明によれば、ガス化炉内に投入された原料が炉軸中心方向に向かう流速の速度成分（Ｖｒ）を最適化できるので、高温ガスと原料との良好な混合性を確保してガス化性能を向上させることが可能になる。
【図面の簡単な説明】
【００１６】
【図１】本発明に係るガス化炉の一実施形態を示す断面図（図２のＡ−Ａ断面）であり、（ａ）はガス化バーナ（原料供給部）の出口開口を対向させて設置した場合の閉塞防止を説明する図、（ｂ）はガス化バーナを旋回方向へ傾斜させて設置した場合の閉塞防止を説明する図、（ｃ）はガス化バーナの出口開口を対向させて設置した場合の反応性を説明する図、（ｄ）はガス化バーナを旋回方向へ傾斜させて設置した場合の反応性を説明する図である。
【図２】本発明に係るガス化炉の一実施形態として、下段から流入した高温ガスの旋回流場に原料を投入してガス化する２段２室ガス化炉の構成例を示す断面図である。
【図３】本発明に係るガス化炉の他の実施形態を示す図で、（ａ）は図１（ｂ）のガス化バーナを上下方向に傾斜設置した場合の閉塞防止を説明する図、（ｂ）は（ａ）のＢ−Ｂ断面図、（ｃ）は図１（ｂ）のガス化バーナを上下方向に傾斜設置した場合の反応性を説明する図、（ｄ）は（ｃ）のＢ−Ｂ断面図である。
【図４】ガス化炉に設置されるガス化バーナの変形例を示す断面図で、（ａ）は原料供給部の流路断面積を搬送部（配管流路）の流路断面積より大とした構成例を示す横断面図、（ｂ）は搬送部から原料供給部へ流路断面積を増す位置に開閉弁を備えたパージガス供給流路を連結して設けた構成例を示す横断面図である。
【図５】下段から流入した高温ガスの旋回流場に原料を投入してガス化する２段２室ガス化炉の従来例を示す断面図である。
【図６】図５のＣ−Ｃ断面図であり、（ａ）はガス化バーナの出口開口を旋回方向へ向けて設置した場合の閉塞を説明する図、（ｂ）は（ａ）のＤ−Ｄ断面図である。
【図７】図５のＣ−Ｃ断面図であり、（ａ）はガス化バーナの出口開口を炉内の軸方向流れと順方向に傾斜させて設置した場合の反応性を説明する図、（ｂ）は（ａ）のＥ−Ｅ断面図である。
【発明を実施するための形態】
【００１７】
以下、本発明に係るガス化炉の一実施形態を図面に基づいて説明する。
図２は、固体または液体の原料をガス化する２段２室のガス化炉１Ａであり、原料を高温ガスの旋回流場に吹き込んでガス化するガス化炉の一例を示している。このガス化炉１Ａでは、コンバスタ２と呼ばれる１段１室目の炉に原料及びガス化剤を投入して高温ガスを生成し、この高温ガスが旋回流となってリダクタ３と呼ばれる２段２室目の炉内へ流れ込む構成となっている。
【００１８】
上段のリダクタ３では、流入した高温ガスが形成する旋回流場に対して、炉壁面の周方向に設けた１または複数のガス化バーナ（原料供給部）１０から原料を吹き込んでガス化を行うようになっている。図示の構成例では、炉壁面の周方向に９０度ピッチで４個のガス化バーナ１０を設置してあるが、特に限定されることはない。
【００１９】
本実施形態のガス化バーナ１０は、図１（ａ），（ｂ）に示すように、ガス化バーナ１０を設置する炉断面の直径（Ｒ）を基準にして、炉軸Ｃｆを中心に描かれる直径０〜０．８Ｒの仮想円２０に接し、かつ、高温ガスＧの旋回流（図中の白抜矢印Ｇを参照）の流れ方向と同方向に傾斜させた向きに設置されている。この場合、ガス化バーナ１０は、炉軸Ｃｆと直交する水平面上に設置されている。なお、炉断面が多角形の場合には、多角形に接する円の直径を炉断面の直径（Ｒ）とすればよい。
【００２０】
図１（ａ）には、仮想円２０の直径Ｒａを０Ｒとした場合（Ｒａ＝０Ｒ）のガス化バーナ１０Ａが示されている。すなわち、仮想円２０の直径Ｒａを０Ｒとすれば、仮想円２０は存在しないことになるため、ガス化バーナ１０Ａは、図中の半径ｒ方向において炉軸Ｃｆの中心方向を向くように設置されている。従って、例えば周方向に９０度ピッチで４つのガス化バーナ１０Ａを配置すれば、バーナ出口１０ａの開口どうしが同一直線上で対向する位置にある垂直配置となる。また、図中のＺは炉軸Ｃｆの鉛直方向であり、ガス化バーナ１０Ａのバーナ出口１０ａは、炉軸Ｃｆと直交する水平面上に向けられている。
【００２１】
図１（ｂ）には、仮想円２０の直径Ｒａを０〜０．８Ｒとした場合（０＜Ｒａ≦０．８Ｒ）のガス化バーナ１０Ｂを示している。すなわち、ガス化バーナ１０Ｂは、仮想円２０の接線方向へ向けて傾斜させ、しかも、高温ガスの旋回流と同方向へ向けて原料を投入する傾斜配置となる。
【００２２】
また、ガス化バーナ１０Ａ，１０Ｂから吹き出される原料流速（Ｖ）は、炉軸Ｃｆの中心方向に向かう流速の速度成分（Ｖｒ）が、旋回流場を形成する高温ガスの上向き速度成分である軸方向平均流速（Ｖｚ）を基準にして、０．５倍以上５倍以下の範囲内（０．５Ｖｚ≦Ｖｒ≦５Ｖｚ）に設定される。なお、軸方向平均流速（Ｖｚ）は、空塔速度とも呼ばれている。
従って、垂直配置のガス化バーナ１０Ａは、原料流速（Ｖ）と速度成分（Ｖｒ）とが同じであるため、原料流速（Ｖ）が０．５Ｖｚ以上５Ｖｚ以下の範囲内となるように設定すればよい。
【００２３】
ここで、原料流速（Ｖ）と軸方向平均流速（Ｖｚ）との関係について、軸方向流速に対する比率で制限できる理由について説明する。
リダクタ３は、炉内の旋回が流動形状相似となるように設計されるため、「軸流速：旋回流速」が一定となる。すなわち、「軸方向流速∝旋回流速」となることから、原料流速（Ｖ）と軸方向平均流速（Ｖｚ）との関係を軸方向流速に対する比率で制限することが可能になる。
【００２４】
この場合、高温ガスＧの旋回流と同方向に傾斜させた向きに設置されているガス化バーナ１０Ｂは、速度成分（Ｖｒ）が原料流速（Ｖ）より小さな値になる。このため、原料流速（Ｖ）を閉塞しにくい大きな値に設定しても、混合性に影響する速度成分（Ｖｒ）を上述した範囲内の値に設定することが可能になる。従って、傾斜配置のガス化バーナ１０Ｂは、ガス化バーナ１０Ａのような垂直配置の場合と比較して、原料流速（Ｖ）を大きな値に設定して原料の閉塞を防止することが可能になる。
【００２５】
このように、本実施形態のガス化バーナ１０Ａ，１０Ｂを備えたガス化炉１Ａでは、対向する垂直配置にして、あるいは、旋回流と同方向へ傾斜させる傾斜配置にして設置されているので、ガス化バーナ１０Ａ，１０Ｂは、旋回流と共に流入する閉塞物質（原料の残渣や残渣の溶融物）がバーナ出口１０ａの開口へ向けて吹き込むことを防止または抑制できる。すなわち、旋回流と逆方向へ傾斜させた配置のように、バーナ出口１０ａの内部に向けて閉塞物質が流入することはなくなるので、閉塞物質がバーナ出口１０ａの開口周辺に付着して閉塞に至ることもない。
【００２６】
さらに、ガス化バーナ１０Ａ，１０Ｂから吹き出されて炉軸Ｃｆの中心方向に向かう原料は、流速の速度成分（Ｖｒ）が０．５Ｖｚ以上５Ｖｚ以下の範囲内に抑えられるので、原料が炉中心に到達するような高流速になることを防止できる。このため、リダクタ３の炉内に投入された原料は、図１（ｃ）及び（ｄ）に示すように、炉中心部に到達することなく炉壁側に主流がある高温ガスＧの旋回流と合流して混合される。この結果、ガス化バーナ１０Ａ，１０Ｂから吹き出された原料は、高温ガスＧの旋回流との混合性が向上するので、良好なガス化性能を得ることが可能になる。
【００２７】
ここで、速度成分（Ｖｒ）を０．５Ｖｚより小さくすると原料が詰まる原因となり、反対に、速度成分（Ｖｒ）を５Ｖｚより大きくすると混合性の確保が困難になるため、いずれの場合も好ましくない。
また、より好適な速度成分（Ｖｒ）は、高温ガスの軸方向平均流速（Ｖｚ）を基準にして、１倍以上３倍以下の範囲内（１Ｖｚ≦Ｖｒ≦３Ｖｚ）である。このような流速設定にすれば、より一層良好なガス化性能を得ることができる。
【００２８】
ところで、上述した実施形態ではガス化バーナ１０Ａ，１０Ｂを水平配置としたが、以下に説明する他の実施形態では、例えば図３に示すように、水平からの上下方向傾斜角度αが±３０度（α＝６０度）の範囲内に設定された傾斜配置としてもよい。
図３（ａ）〜（ｄ）に示すガス化バーナ１０Ｃは、傾斜配置したガス化バーナ１０Ｂをさらに上下方向にも傾斜させたものである。この場合、ガス化バーナ１０Ｃの上下方向傾斜角度αは、閉塞防止や混合性を考慮して、水平から±３０度の範囲内となっている。
【００２９】
このような上下方向の傾斜は、上下方向の傾きに依存する反応性の悪化や閉塞を防止または抑制できる。
すなわち、下向きに３０度以下の傾斜であれば、図３（ａ）に示すように、閉塞物質の付着によるガス化バーナ１０Ｃの閉塞が悪影響を受けることはほとんどない。
また、上向きに３０度以下の傾斜であれば、図３（ｂ）に示すように、原料Ｍとの混合位置が炉内上方へ移動することによるリダクタ３のガス化性能悪化についても、悪影響を受けることはほとんどない。
なお、このような上下方向の傾斜は、炉軸Ｃｆに向けた垂直配置のガス化バーナ１０Ａに適用してもよい。
【００３０】
図４は、上述したガス化バーナ１０の変形例として、ガス化バーナ１０へ原料を搬送する搬送部である配管流路３０との連結部構造を示している。
図４（ａ）に示すガス化バーナ１０では、ガス化バーナ１０の流路断面積（Ｓａ）が、ガス化バーナ１０の入口付近まで原料を搬送してくる配管流路３０の流路断面積（Ｓｂ）より大（Ｓａ＞Ｓｂ）となるように設定されている。すなわち、流路断面積（Ｓｂ）の配管流路３０は、ガス化バーナ１０との間を連結する連結部３１で拡径され、最終的に流路断面積（Ｓａ）のガス化バーナ１０に接続される。
【００３１】
このような連結部構造とすることにより、ガス化バーナ１０から炉内へ投入される原料は、流路断面積の小さい配管流路３０を上述した原料流速（Ｖ）より速い流速で流すことができる。このため、原料が失速するなどして配管流路３０内に滞留し、滞留した原料が配管流路３０内を閉塞させるという問題を防止できる。
また、原料を炉内へ投入する時点においては、ガス化バーナ１０の流路断面積拡大により流速を所望の値まで低下させることができるので、高温ガスＧと原料との混合性を十分確保することができる。
【００３２】
この場合、例えば図４（ｂ）に示すように、配管流路３０からガス化バーナ１０へ流路断面積を増す位置の連結部３１に対し、図示しないパージガス供給源に接続されたパージガス供給流路４０を連結しておくことが望ましい。このパージガス供給流路４０は、開閉弁４１を備えている。従って、この開閉弁４１を開とすることにより、必要に応じて連結部３１の内部にパージガス供給することができる。
このようなパージガス供給流路４０を設けると、連結部３１における流路断面積の拡大により流速が低下し、連結部３１やガス化バーナ１０の内部に原料が滞留するようなことがあっても、パージガスを供給することで瞬間的に流速を上げることができるため、原料によるガス化バーナ１０の流路閉塞を防止できる。
【００３３】
このように、上述した本実施形態によれば、旋回流場に原料を吹き込むガス化バーナ１０を備えたガス化炉１Ａにおいて、バーナ出口１０ａが旋回流に含まれる原料の残渣や残渣の溶融物によって閉塞することや、原料を搬送する配管流路３０の内部等に原料が滞留して閉塞されることを防止できるので、ガス化炉１の安定した運転が可能になる。
また、ガス化炉１Ａ内に投入された原料が炉軸Ｃｆの中心方向に向かう流速の速度成分（Ｖｒ）を最適化できるので、原料を高温ガスＧの主流付近に投入し、高温ガスＧと原料との良好な混合性を確保してガス化性能を向上させることが可能になる。
【００３４】
上述した本実施形態では、２段２室ガス化炉について説明したが、本発明はこれに限定されることはなく、高温ガスＧの旋回流場に対して炉壁面の周方向に設けた１または複数のガス化バーナから原料を吹き込んでガス化を行うガス化炉全般に適用可能である。
また、上述した実施形態では、原料供給部として４個のガス化バーナ１０よりなるバーナ群を例示しているが、例えばガス化バーナ１０に代えて原料供給管を採用してもよく、さらに、その設置個数等についても特に限定されることはない。
なお、本発明は上述した実施形態に限定されることはなく、その要旨を逸脱しない範囲内において適宜変更することができる。
【符号の説明】
【００３５】
１，１Ａ    ガス化炉
２    コンバスタ
３    リダクタ
１０，１０Ａ〜１０Ｃ    ガス化バーナ（原料供給部）
１０ａ    バーナ出口
２０    仮想円
３０    配管流路（搬送部）
３１    連結部
４０    パージガス供給流路
４１    開閉弁
【図１】
0006644460.tif 000002
【図２】
0006644460.tif 000003
【図３】
0006644460.tif 000004
【図４】
0006644460.tif 000005
【図５】
0006644460.tif 000006
【図６】
0006644460.tif 000007
【図７】
0006644460.tif 000008